(57)【要約】【課題】携帯電話機の通信料金と共に決済処理を行うことができない商品の料金を、簡便に決済できる決済方法を提供する。【解決手段】携帯電話機３の通信料金に、その利用料金を併課することが可能な有料コンテンツを提供するコンテンツ提供装置４と、携帯電話機３から商品の購入を受け付ける電子商取引装置２と、決済装置１とを用いて決済を行うための決済方法であって、決済装置１は、有料コンテンツの一覧を表示するための有料コンテンツ表示情報を携帯電話機３へ送信し、一覧表示させる。携帯電話機３は、前記一覧の中から利用登録する有料コンテンツを受け付け、その利用登録をコンテンツ提供装置４へ要求する。コンテンツ提供装置４は、利用登録を要求された場合、利用登録の発生を決済装置１へ通知する。利用登録の通知を受けた決済装置１は、決済が完了した旨の情報を電子商取引装置２へ送信する。【選択図】図１
2010109759.tif 000002
【特許請求の範囲】
【請求項１】
携帯電話機と、該携帯電話機の通信料金に、その利用料金を併課することが可能な有料コンテンツを提供するコンテンツ提供装置と、前記携帯電話機から商品又はサービスの購入を受け付ける電子商取引装置と、該電子商取引装置にて受け付けた購入対象の商品又はサービスの料金を決済する決済装置とを備え、前記有料コンテンツの利用料金の一部を前記商品又はサービスの料金の決済に充てることによって、該料金の決済を行う決済システムであって、
前記決済装置は、
前記コンテンツ提供装置から提供が可能な有料コンテンツの名称又は内容を表示するための有料コンテンツ表示情報を前記携帯電話機へ送信する手段を備え、
前記携帯電話機は、
前記決済装置から送信された有料コンテンツ表示情報を受信する手段と、
受信した有料コンテンツ表示情報に基づいて、有料コンテンツの名称又は内容を表示する手段と、
表示された有料コンテンツのいずれかを受け付ける手段と、
受け付けた有料コンテンツの利用登録を前記コンテンツ提供装置へ要求する手段と
を備え、
前記コンテンツ提供装置は、
前記携帯電話機から有料コンテンツの利用登録を要求された場合、該有料コンテンツの利用登録の発生を通知するための利用登録情報を前記決済装置へ送信する手段を備え、
更に、前記決済装置は、
前記コンテンツ提供装置から送信された利用登録情報を受信する手段と、
該利用登録情報を受信した場合、前記携帯電話機から受け付けた商品又はサービスの料金の決済が完了した旨の決済完了情報を前記電子商取引装置へ送信する手段と
を備えることを特徴とする決済システム。
【請求項２】
前記コンテンツ提供装置は、
有料コンテンツの利用量に応じて利用料金が発生する有料コンテンツを提供するようにしてあり、
前記決済装置は、
有料コンテンツの利用量が増加した場合、有料コンテンツが継続利用されている旨を通知するための情報を前記電子商取引装置へ送信する手段を備える
ことを特徴とする請求項１に記載の決済システム。
【請求項３】
前記決済装置は、
商品又はサービスの料金を決済するために利用登録されるべき有料コンテンツの数を示した複数の所定利用登録数情報を前記携帯電話機へ送信する手段を備え、
前記携帯電話機は、
前記決済装置から送信された複数の所定利用登録数情報を受信する手段と、
受信した複数の所定利用登録数情報に基づいて所定利用登録数を表示する手段と、
表示された所定利用登録数のいずれかを受け付ける手段と、
受け付けた所定利用登録数に係る所定利用登録数情報を前記決済装置へ送信する手段と
を備え、
前記決済装置は、
前記携帯電話機から送信された所定利用登録数情報を受信する手段と、
前記コンテンツ提供装置から送信された前記利用登録情報を受信した場合、利用登録された有料コンテンツを記憶する記憶手段と、
利用登録された有料コンテンツの数が、前記所定利用登録数情報に係る所定利用登録数以上であるか否かを判定する手段と
を備え、
利用登録された有料コンテンツの数が前記所定利用登録数以上であると判定された場合、決済完了情報を前記電子商取引装置へ送信するようにしてある
ことを特徴とする請求項１又は請求項２に記載の決済システム。
【請求項４】
前記携帯電話機は、
商品又はサービスの料金を示す料金情報を前記決済装置へ送信する手段を備え、
前記決済装置は、
前記携帯電話機から送信された料金情報を受信する手段と、
各有料コンテンツ及び該有料コンテンツの利用登録にて決済が可能な金額に関する情報を対応付けたテーブルと、
前記コンテンツ提供装置から送信された前記利用登録情報を受信した場合、利用登録された有料コンテンツを記憶する記憶手段と、
該記憶手段が記憶している有料コンテンツ、前記テーブル及び料金情報に基づいて、商品又はサービスの決済が可能か否かを判定する判定手段と
を備え、
決済が可能と判定された場合、決済完了情報を前記電子商取引装置へ送信するようにしてある
ことを特徴とする請求項１又は請求項２に記載の決済システム。
【請求項５】
外部通信装置が携帯電話機から受け付けた購入対象の商品又はサービスの料金を決済する決済装置であって、
前記携帯電話機の通信料金に、その利用料金を併課することが可能な有料コンテンツの名称又は内容を表示するための有料コンテンツ表示情報を前記携帯電話機へ送信する手段を備え、
前記携帯電話機を用いた前記有料コンテンツの利用登録の発生を通知するための利用登録情報を受信する手段と、
該利用登録情報を受信した場合、前記携帯電話機から受け付けた商品又はサービスの料金の決済が完了した旨の決済完了情報を前記外部通信装置へ送信する手段と
を備えることを特徴とする決済装置。
【請求項６】
携帯電話機と、該携帯電話機の通信料金に、その利用料金を併課することが可能な有料コンテンツを提供するコンテンツ提供装置と、前記携帯電話機から商品又はサービスの購入を受け付ける電子商取引装置と、該電子商取引装置にて受け付けた購入対象の商品又はサービスの料金を決済する決済装置とを用い、前記有料コンテンツの利用料金の一部を前記商品又はサービスの料金の決済に充てることによって、該料金の決済を行う決済方法であって、
前記決済装置は、
前記コンテンツ提供装置から提供が可能な有料コンテンツの名称又は内容を表示するための有料コンテンツ表示情報を前記携帯電話機へ送信し、
前記携帯電話機は、
前記決済装置から送信された有料コンテンツ表示情報を受信し、
受信した有料コンテンツ表示情報に基づいて、有料コンテンツの名称又は内容を表示し、
表示された有料コンテンツのいずれかを受け付け、
受け付けた有料コンテンツの利用登録を前記コンテンツ提供装置へ要求し、
前記コンテンツ提供装置は、
前記携帯電話機から有料コンテンツの利用登録を要求された場合、該有料コンテンツの利用登録の発生を通知するための利用登録情報を前記決済装置へ送信し、
更に、前記決済装置は、
前記コンテンツ提供装置から送信された利用登録情報を受信し、
該利用登録情報を受信した場合、前記携帯電話機から受け付けた商品又はサービスの料金の決済が完了した旨の決済完了情報を前記電子商取引装置へ送信する
ことを特徴とする決済方法。
【発明の詳細な説明】
【技術分野】
【０００１】
本発明は、電子商取引装置にて受け付けた購入対象の商品又はサービスの料金を決済すると共に、有料コンテンツの利用登録を成立させることができる決済システム、決済装置及び決済方法に関する。
【背景技術】
【０００２】
クレジットカード、決済用の口座、ウェブマネーを持っていなくても、有料コンテンツの利用料金支払いが可能なコンテンツ利用料金課金装置が提案されている（例えば、特許文献１）。特許文献１に係るコンテンツ利用料金課金装置は、携帯電話を利用した通信料金の決済処理を行う携帯電話決済装置に接続されている。コンテンツ利用料金課金装置は、使用者の会員登録を行い、登録された使用者が利用した有料コンテンツに応じて課金し、課金された情報を含む課金データを課金データベースに記憶させる。そして、コンテンツ利用料金課金装置は、課金データに基づいて、コンテンツ利用料金の決済を携帯電話決済装置に依頼する。携帯電話決済装置は、コンテンツ利用料金を通信料金と共に決済する処理を実行する。
【０００３】
特許文献１に係るコンテンツ利用料金課金装置においては、有料コンテンツの利用料金を、携帯電話機の通信料金に併課することができるため、クレジットカード、決済用の口座を持っていなくても、有料コンテンツの利用料金支払いを行うことができる。
【特許文献１】特開２００４−８０４８５号公報
【発明の開示】
【発明が解決しようとする課題】
【０００４】
ところが、携帯電話機の通信料金と共に決済処理を行うことができない商品又はサービスを電子商取引装置にて購入するような場合、クレジットカード、決済用の口座、ウェブマネーを用意する必要があった。特に低年齢層のユーザの多くは、携帯電話機を所有しているが、クレジットカード等の決済手段を有していないため、携帯電話機の通信料金と共に決済することができない商品又はサービスを電子商取引で購入することができないのが現状である。電子商取引業者側からみると、低年齢層のユーザは潜在ユーザであり、簡便な決済方法が強く望まれている。
【０００５】
一方、低年齢層のユーザの多くは、携帯用の複数の有料コンテンツに利用登録している。しかし、既存の広告手段では、低年齢層のユーザを効果的に有料コンテンツへ誘引できているとは言えず、コンテンツ提供業者側からみると、未だ低年齢層のユーザは魅力的な潜在ユーザである。
【０００６】
本願発明者は、鋭意検討の結果、有料コンテンツの利用登録によって決済を成立させる仕組みを構築することによって、低年齢層のユーザに簡便な決済方法を提供すると共に、有料コンテンツを効果的に広告し、誘引することができる決済システムを実現することができるという着想を得た。
【０００７】
本発明は斯かる着想に基づくものであり、携帯電話機の通信料金と共に決済処理を行うことができない商品又はサービスの料金を、クレジットカード、決済用の口座、ウェブマネーを用いること無く決済することができると共に、効果的に有料コンテンツの利用登録を成立させることができる決済システム、決済装置及び決済方法を提供することを目的とする。
【０００８】
本発明の他の目的は、有料コンテンツの利用登録を継続する使用者にとって、より魅力的な決済方法を提供すると共に、有料コンテンツをより効果的に広告し、誘引することができる決済システムを提供することにある。
【０００９】
本発明の他の目的は、有料コンテンツの利用登録数を増加させることができる決済システムを提供することにある。
【００１０】
本発明の他の目的は、電子商取引装置で購入した商品又はサービス毎に料金が異なる場合であっても、料金に応じた数の有料コンテンツを利用登録することによって、決済を完了させることができる決済システムを提供することにある。
【課題を解決するための手段】
【００１１】
本発明に係る決済システムは、携帯電話機と、該携帯電話機の通信料金に、その利用料金を併課することが可能な有料コンテンツを提供するコンテンツ提供装置と、前記携帯電話機から商品又はサービスの購入を受け付ける電子商取引装置と、該電子商取引装置にて受け付けた購入対象の商品又はサービスの料金を決済する決済装置とを備え、前記有料コンテンツの利用料金の一部を前記商品又はサービスの料金の決済に充てることによって、該料金の決済を行う決済システムであって、前記決済装置は、前記コンテンツ提供装置から提供が可能な有料コンテンツの名称又は内容を表示するための有料コンテンツ表示情報を前記携帯電話機へ送信する手段を備え、前記携帯電話機は、前記決済装置から送信された有料コンテンツ表示情報を受信する手段と、受信した有料コンテンツ表示情報に基づいて、有料コンテンツの名称又は内容を表示する手段と、表示された有料コンテンツのいずれかを受け付ける手段と、受け付けた有料コンテンツの利用登録を前記コンテンツ提供装置へ要求する手段とを備え、前記コンテンツ提供装置は、前記携帯電話機から有料コンテンツの利用登録を要求された場合、該有料コンテンツの利用登録の発生を通知するための利用登録情報を前記決済装置へ送信する手段を備え、更に、前記決済装置は、前記コンテンツ提供装置から送信された利用登録情報を受信する手段と、該利用登録情報を受信した場合、前記携帯電話機から受け付けた商品又はサービスの料金の決済が完了した旨の決済完了情報を前記電子商取引装置へ送信する手段とを備えることを特徴とする。
【００１２】
本発明に係る決済システムは、前記コンテンツ提供装置は、有料コンテンツの利用量に応じて利用料金が発生する有料コンテンツを提供するようにしてあり、前記決済装置は、有料コンテンツの利用量が増加した場合、有料コンテンツが継続利用されている旨を通知するための情報を前記電子商取引装置へ送信する手段を備えることを特徴とする。
【００１３】
本発明に係る決済システムは、前記決済装置は、商品又はサービスの料金を決済するために利用登録されるべき有料コンテンツの数を示した複数の所定利用登録数情報を前記携帯電話機へ送信する手段を備え、前記携帯電話機は、前記決済装置から送信された複数の所定利用登録数情報を受信する手段と、受信した複数の所定利用登録数情報に基づいて所定利用登録数を表示する手段と、表示された所定利用登録数のいずれかを受け付ける手段と、受け付けた所定利用登録数に係る所定利用登録数情報を前記決済装置へ送信する手段とを備え、前記決済装置は、前記携帯電話機から送信された所定利用登録数情報を受信する手段と、前記コンテンツ提供装置から送信された前記利用登録情報を受信した場合、利用登録された有料コンテンツを記憶する記憶手段と、利用登録された有料コンテンツの数が、前記所定利用登録数情報に係る所定利用登録数以上であるか否かを判定する手段とを備え、利用登録された有料コンテンツの数が前記所定利用登録数以上であると判定された場合、決済完了情報を前記電子商取引装置へ送信するようにしてあることを特徴とする。
【００１４】
本発明に係る決済システムは、前記携帯電話機は、商品又はサービスの料金を示す料金情報を前記決済装置へ送信する手段を備え、前記決済装置は、前記携帯電話機から送信された料金情報を受信する手段と、各有料コンテンツ及び該有料コンテンツの利用登録にて決済が可能な金額に関する情報を対応付けたテーブルと、前記コンテンツ提供装置から送信された前記利用登録情報を受信した場合、利用登録された有料コンテンツを記憶する記憶手段と、該記憶手段が記憶している有料コンテンツ、前記テーブル及び料金情報に基づいて、商品又はサービスの決済が可能か否かを判定する判定手段とを備え、決済が可能と判定された場合、決済完了情報を前記電子商取引装置へ送信するようにしてあることを特徴とする。
【００１５】
本発明に係る決済装置は、外部通信装置が携帯電話機から受け付けた購入対象の商品又はサービスの料金を決済する決済装置であって、前記携帯電話機の通信料金に、その利用料金を併課することが可能な有料コンテンツの名称又は内容を表示するための有料コンテンツ表示情報を前記携帯電話機へ送信する手段を備え、前記携帯電話機を用いた前記有料コンテンツの利用登録の発生を通知するための利用登録情報を受信する手段と、該利用登録情報を受信した場合、前記携帯電話機から受け付けた商品又はサービスの料金の決済が完了した旨の決済完了情報を前記外部通信装置へ送信する手段とを備えることを特徴とする。
【００１６】
本発明に係る決済方法は、携帯電話機と、該携帯電話機の通信料金に、その利用料金を併課することが可能な有料コンテンツを提供するコンテンツ提供装置と、前記携帯電話機から商品又はサービスの購入を受け付ける電子商取引装置と、該電子商取引装置にて受け付けた購入対象の商品又はサービスの料金を決済する決済装置とを用い、前記有料コンテンツの利用料金の一部を前記商品又はサービスの料金の決済に充てることによって、該料金の決済を行う決済方法であって、前記決済装置は、前記コンテンツ提供装置から提供が可能な有料コンテンツの名称又は内容を表示するための有料コンテンツ表示情報を前記携帯電話機へ送信し、前記携帯電話機は、前記決済装置から送信された有料コンテンツ表示情報を受信し、受信した有料コンテンツ表示情報に基づいて、有料コンテンツの名称又は内容を表示し、表示された有料コンテンツのいずれかを受け付け、受け付けた有料コンテンツの利用登録を前記コンテンツ提供装置へ要求し、前記コンテンツ提供装置は、前記携帯電話機から有料コンテンツの利用登録を要求された場合、該有料コンテンツの利用登録の発生を通知するための利用登録情報を前記決済装置へ送信し、更に、前記決済装置は、前記コンテンツ提供装置から送信された利用登録情報を受信し、該利用登録情報を受信した場合、前記携帯電話機から受け付けた商品又はサービスの料金の決済が完了した旨の決済完了情報を前記電子商取引装置へ送信することを特徴とする。
【００１７】
本発明にあっては、電子商取引装置が携帯電話機から商品又はサービスの購入を受け付け、該商品又はサービスの決済を決済装置が行う。
決済装置は、有料コンテンツの利用登録によって決済を成立させるための装置である。具体的には、携帯電話機から決済を依頼された決済装置は、コンテンツ提供装置から提供が可能な有料コンテンツの名称又は内容を表示するための有料コンテンツ表示情報を携帯電話機へ送信し、携帯電話機に有料コンテンツの名称又は内容を表示させる。従って、決済を求めた携帯電話機の使用者に対して、有料コンテンツを広告することができる。
そして、携帯電話機は、利用登録する有料コンテンツを受け付け、利用登録をコンテンツ提供装置へ要求する。コンテンツ提供装置は、携帯電話機から利用登録を要求された場合、有料コンテンツの利用登録の発生を通知するための利用登録情報を決済装置へ送信する。有料コンテンツの利用登録によって、コンテンツ提供装置側が決済装置側へ広告費を支払い、また決済装置側が、該広告費の一部を電子商取引装置側へ支払うことになっている場合、決済装置は、コンテンツ提供装置から送信されてくる利用登録情報によって、広告費及び決済に必要な情報を管理することができる。
決済装置は、利用登録情報を受信した場合、コンテンツ提供装置側から提供される広告費によって決済が可能な状態になったことを通知すべく、前記商品又はサービスの決済が完了した旨の決済完了情報を電子商取引装置へ送信する。
よって、有料コンテンツの利用登録によって決済を成立させる仕組みを構築することが可能になる。
【００１８】
本発明にあっては、コンテンツ提供装置は、利用量に応じて利用料金が発生する有料コンテンツを提供する。例えば、月払いの定額制等、定期的に利用料金が発生する有料コンテンツ、通信情報量に応じて利用料金が発生する有料コンテンツを提供する。決済装置は、該有料コンテンツの利用登録によって決済を行った場合、決済完了後、利用量が増加して有料コンテンツの利用料金が発生したとき、利用登録が継続利用されている旨の情報を電子商取引装置へ送信する。
例えば、追加の利用料金が発生した場合、コンテンツ提供装置側が継続的な利用登録に対する対価を決済装置側へ支払い、決済装置は、該対価の一部を電子商取引装置へ支払うことになっている場合、電子商取引装置は利用登録が継続している旨の情報を受信する都度、何らかの商品又はサービスを使用者に提供することができる。従って、使用者は、有料コンテンツの利用を継続するのみで、商品又はサービスの提供を受けることができる。言い換えると、割安で有料コンテンツを継続的に利用することができる。よって、より魅力的な決済方法を提供すると共に、有料コンテンツをより効果的に広告し、登録へ導くことが可能になる。
【００１９】
本発明にあっては、決済装置は、複数の所定利用登録数情報を携帯電話機へ送信し、携帯電話機に表示させる。所定利用登録数情報は、決済に必要な利用登録件数を示す情報である。決済装置は、携帯電話機で選択され、送信された所定利用登録数情報を受信する。そして、決済装置は、利用登録された有料コンテンツの数が、前記所定利用登録数情報以上である場合、決済完了情報を電子商取引装置へ送信する。従って、決済に複数の利用登録が必要になる。よって、有料コンテンツの利用登録数を増加させることが可能になる。
【００２０】
本発明にあっては、携帯電話機は、購入した商品又はサービスの料金を示す料金情報を決済装置へ送信する。決済装置は、有料コンテンツと、該有料コンテンツの利用登録によって決済が可能な金額に関する情報とを対応付けたテーブルを備えている。また、決済装置は、利用登録された有料コンテンツを記憶している。決済装置は、前記テーブルと、受信した利用料金と、記憶している利用登録済みの有料コンテンツとに基づいて、商品又はサービスの決済を行うために充分な有料コンテンツが登録されているか否かを判定し、決済が可能と判定した場合、決済完了情報を電子商取引装置へ送信する。従って、固定された数の有料コンテンツを利用登録する必要は無く、商品又はサービスの料金に応じた数の有料コンテンツを利用登録することによって、決済を完了させることができる。よって、決済システムの利便性をより向上させることが可能になる。
【発明の効果】
【００２１】
本発明によれば、携帯電話機の通信料金と共に決済処理を行うことができない商品又はサービスの料金を、クレジットカード、決済用の口座、ウェブマネーを用いること無く決済することができると共に、効果的に有料コンテンツの利用登録を成立させることができる。
【００２２】
本発明によれば、有料コンテンツの利用登録を継続する使用者にとって、より魅力的な決済方法を提供すると共に、有料コンテンツをより効果的に広告し、誘引することができる。
【００２３】
本発明によれば、有料コンテンツの利用登録数を増加させることができる。
【００２４】
本発明によれば、電子商取引装置で購入した商品又はサービス毎に料金が異なる場合であっても、料金に応じた数の有料コンテンツを利用登録することによって、決済を完了させることができる。
【発明を実施するための最良の形態】
【００２５】
以下、本発明をその実施の形態を示す図面に基づいて詳述する。
図１は、本発明の実施の形態に係る決済システムの構成を模式的に示すブロック図である。図中１は、決済装置であり、インターネット等の有線又は無線の通信網Ｎを介して電子商取引装置２、携帯電話機３、コンテンツ提供装置４に接続されている。白抜き矢印は金銭の流れを示しており、細線矢印は、携帯電話機３の使用者の行動対象及び行動内容を示している。本実施の形態に係る決済システムは、細線矢印で示すように、携帯電話機３の使用者が電子商取引装置２で購入した商品又はサービスの料金を、クレジットカード、決済用の口座、ウェブマネーを用いること無く決済することができると共に、効果的に有料コンテンツの利用登録を成立させることを可能にするシステムである。金銭の流れについては後述する。
【００２６】
図２は、決済システムの構成を模式的に示すブロック図である。なお、作図の便宜上、一つのコンテンツ提供装置４を代表して図示しているが、図１に示すように通信網Ｎには複数のコンテンツ提供装置４が接続されている。
【００２７】
決済装置１は、各構成部の動作を制御する制御部１１、例えばＣＰＵ（Central Processing Unit）を備えたコンピュータであり、Ｗｅｂサーバ機能を有する。制御部１１には、コンピュータの動作に必要なコンピュータプログラム、決済処理に必要なサイト登録決済画面、有料コンテンツ一覧、決済完了画面等を生成するための素材等を記憶した記憶部１２、演算に伴って発生する情報を一時的に記憶するＲＡＭ１３、データベース１４、及び通信部１５が接続されている。制御部１１は、記憶部１２からコンピュータプログラムをＲＡＭ１３に読み出し、また必要に応じてデータベース１４の情報を読み出して各種演算処理を実行することによって、本発明に係る決済方法を実施する。
【００２８】
電子商取引装置２は、各構成部の動作を制御する制御部２１を備えたコンピュータであり、いわゆる電子店舗を提供する。電子商取引装置２の基本的な構成は決済装置１と同様である。即ち、制御部２１には、電子店舗の提供に必要なコンピュータプログラムを記憶した記憶部２２、ＲＡＭ２３、携帯電話機３の使用者に関する情報を格納した使用者情報ＤＢ２４、及び通信部２５が接続されている。
【００２９】
携帯電話機３は、例えば電子メール通信機能及びウェブクライアント機能を有する携帯電話端末であり、装置全体を制御する制御部３１を備えている。制御部３１には、バスを介して、記憶部３２、ＲＡＭ３３、通信部３５、操作部３６、表示部３７、マイクロホン３８、及びスピーカ３９が接続されている。
【００３０】
記憶部３２は、携帯電話機３の動作に必要な制御プログラム、メーラ、ＨＴＭＬブラウザ、その他各種ソフトウェアを記憶した不揮発性メモリであり、ＲＡＭ３３は、制御部３１の演算処理を実行する際に生ずる各種データを一時記憶する揮発性メモリである。
通信部３５は、高周波送受信部及びアンテナ３５ａ等を備え、電子商取引装置２、決済装置１及びコンテンツ提供装置４との間で、決済及び有料コンテンツに係る情報を無線で送受信する。また、通信部３５は、他の携帯電話機３との間で電子メール及び通話に係る情報を無線で送受信する。
操作部３６は、通話及び電子メール通信を操作するための通話ボタン、数字キー、十字キー、決定ボタン等を備える。
表示部３７は例えば液晶ディスプレイ等であり、電子メールに含まれる文字、ＨＴＭＬ画像等を表示する。
スピーカ３９は、他の携帯電話機３から送信された通話に係る情報、特に音声信号を増幅して出力する。マイクロホン３８は、外部から入力された音声を音声信号に変換し、変換した音声信号を通話に係る情報として通信部３５に与え、外部の携帯電話機３へ送信する。
【００３１】
コンテンツ提供装置４は、各構成部の動作を制御する制御部４１を備えたコンピュータであり、携帯電話機３の通信料金に、その利用料金を併課することが可能な月額制の有料コンテンツを、携帯電話機３向けに提供する装置である。なお、通信料金の決済は、図示しない既存の携帯電話決済装置によって行われる。携帯電話決済装置の構成は従来技術であるため、詳細な説明は詳細する。コンテンツ提供装置４の基本的な構成は決済装置１と同様である。即ち、制御部４１には、有料コンテンツの提供に必要なコンピュータプログラムを記憶した記憶部４２、ＲＡＭ４３、有料コンテンツに係る情報を格納した有料コンテンツ情報ＤＢ４４及び通信部４５が接続されている。
【００３２】
図３は、売上・決済情報ＤＢ（Database）１４ａのレコードレイアウトを概念的に示す説明図である。売上・決済情報ＤＢ１４ａの表（ファイル）は、複数の列（フィールド）、例えば「携帯電話機ＩＤ」、「電子商取引装置ＩＤ」、「コンテンツ提供装置ＩＤ」、「広告費」、「登録フラグ」、「アフィリエイトコード」、「決済完了フラグ」等から構成されており、各行（レコード）は、各列に対応した情報を有する。
【００３３】
「携帯電話機ＩＤ」列は、携帯電話機３に固有の識別情報を格納する。「電子商取引装置ＩＤ」列は、決済対象の商品等を購入した電子商取引装置２に固有の識別情報を格納する。「コンテンツ提供装置ＩＤ」列は、前記商品等の決済に利用した又は利用する有料コンテンツを提供するコンテンツ提供装置４に固有の識別情報を格納する。「広告費」列は、有料コンテンツの利用登録に対して、コンテンツ提供業者から決済装置１の運営者へ支払われる広告費の金額を格納する。該広告費は、該当する有料コンテンツの利用登録によって決済が可能な金額に関する情報である。なお、本実施の形態では、広告費の７０％を、決済装置１の運営者から電子商取引業者に支払われる。「登録フラグ」列は、対応する有料コンテンツが利用登録されている状態にあるか否かを示す情報が格納される。「１」は利用登録されている状態を示し、「０」は利用登録が解除された状態を示している。利用登録された直後は、「登録フラグ」列に「１」が格納されるが、解約された場合、「０」が格納される。「アフィリエイトコード」列は、利用登録された有料コンテンツを特定するための情報を格納する。「決済完了フラグ」列は、有料コンテンツの利用登録によって、決済が完了したか否かを示す情報が格納される。丸印は、該当する有料コンテンツの利用登録によって、購入した商品等の決済が完了した状態を示し、バツ印は、該当する有料コンテンツの利用登録に基づく決済が未だ完了していない状態を示している。
【００３４】
図４は、広告情報ＤＢ１４ｂのレコードレイアウトを概念的に示す説明図である。広告情報ＤＢ１４ｂの表は、複数の列、例えば「コンテンツＩＤ」、「有料コンテンツ」、「コンテンツ提供装置ＩＤ」、「広告費」、「属性（性別・年齢・趣味嗜好）」、「登録者数」等から構成されており、各行は、各列に対応した情報を有する。
【００３５】
「コンテンツＩＤ」列は、有料コンテンツに固有の識別情報を格納する。「有料コンテンツ」列は、前記有料コンテンツの名称を格納する。「コンテンツ提供装置ＩＤ」は、該当する有料コンテンツを提供するコンテンツ提供装置４に固有の識別情報を格納する。「広告費」列は、該当する有料コンテンツに係る広告費の金額を格納する。「属性」列は、該当する有料コンテンツの属性、例えば、該有料コンテンツの使用者として想定されている男女の別、年齢等を格納する。「登録者数」列は、該当する有料コンテンツの登録者数を格納する。
【００３６】
図５は、電子商取引装置情報ＤＢ１４ｃ及び不正使用情報ＤＢ１４ｄのレコードレイアウトを概念的に示す説明図である。図５（ａ）は、電子商取引装置情報ＤＢ１４ｃのレコードレイアウトを示している。電子商取引装置情報ＤＢ１４ｃの表は、複数の列、例えば「電子商取引装置ＩＤ」、「属性（性別・年齢・趣味嗜好）」、「有料コンテンツの並べ方」、「決済画面デザイン」等から構成されており、各行は、各列に対応した情報を有する。
【００３７】
「電子商取引装置ＩＤ」列は、電子商取引装置２に固有の識別情報を格納する。「属性」列は、電子商取引装置２の使用者として想定されている男女の別、年齢等を格納する。「有料コンテンツの並べ方」列は、決済に利用する有料コンテンツの一覧を表示する際に、有料コンテンツを配列する順序を規定する情報を格納する。有料コンテンツの並べ方としては、例えば、該当する電子商取引装置２の属性に近い有料コンテンツから昇順で並べる方法、有料コンテンツの人気に応じた順序で並べる方法、該当する電子商取引業者によって指定された順序で有料コンテンツを並べる方法等がある。「決済画面デザイン」列は、該当する電子商取引装置２で購入した商品を決済する際に表示する決済画面のデザイン、例えば、背景又は文字の色等格納する。
【００３８】
図５（ｂ）は、不正使用情報ＤＢ１４ｄのレコードレイアウトを示している。不正使用情報ＤＢ１４ｄの表は、複数の列、例えば「携帯電話機ＩＤ」、「不正フラグ」等から構成されており、各行は、各列に対応した情報を有する。
「携帯電話機ＩＤ」列は、携帯電話機３に固有の識別情報を格納する。「不正フラグ」列は、該当する携帯電話機３の使用者が、本決済システムの不正使用を行ったことがあるか否かを示す情報を格納する。丸印は、不正使用を行ったことが無いことを示し、バツ印は不正使用を行ったことがあることを示している。不正フラグは、例えば、コンテンツ提供業者から該当使用者が不正であることが通知された場合、オンになる。不正使用とは、例えば、携帯電話機３の端末ＩＤを変更し、同一使用者であるにもかかわらず、異なる使用者であるように見せかけ、広告費用に相当する対価を得ようとするものがある。
【００３９】
＜決済処理＞
図６乃至図１１は、決済に係る制御部１１、２１、３１、４１の処理手順を示すフローチャートである。携帯電話機３の制御部３１は、通信部３５を介して、商品等購入サイト要求情報を電子商取引装置２へ送信する（ステップＳ６０）。
【００４０】
電子商取引装置２の制御部２１は、携帯電話機３から送信された商品等購入サイト要求情報を通信部２５を介して受信する（ステップＳ６１）。そして、制御部２１は、商品等購入サイト画面情報を記憶部２２から読み出し、読み出した商品等購入サイト画面情報を携帯電話機３へ送信する（ステップＳ６２）。商品等購入サイト画面情報は、商品等の一覧を携帯電話機３に表示し、購入する商品等を選択するための情報である。
【００４１】
携帯電話機３の制御部３１は、電子商取引装置２から送信された商品等購入サイト画面情報を通信部３５を介して受信し（ステップＳ６３）、受信した商品等購入サイト画面情報に基づいて、商品等購入サイト画面を表示部３７に表示させる（ステップＳ６４）。そして、制御部３１は、商品の購入及び決済を要求する商品購入・決済要求情報を通信部３５を介して電子商取引装置２へ送信する（ステップＳ６５）。
【００４２】
電子商取引装置２の制御部２１は、携帯電話機３から送信された商品購入・決済要求情報を通信部２５を介して受信する（ステップＳ６６）。そして、制御部２１は、購入された商品の料金を決済する方法を選択するための決済方法選択画面情報を記憶部２２から読み出し、読み出した決済方法選択画面情報を、通信部２５を介して携帯電話機３へ送信する（ステップＳ６７）。
【００４３】
携帯電話機３の制御部３１は、決済方法選択画面情報を、通信部３５を介して受信し（ステップＳ６８）、受信した決済方法選択画面情報に基づいて、図１２に示す決済方法選択画面を表示部３７に表示させる（ステップＳ６９）。
【００４４】
図１２は、決済方法選択画面の一例を示す模式図である。決済方法選択画面は、上部に表示される購入金額、例えば「購入金額：１０００円」と、該購入金額の下方に表示される「ご利用の決済方法を選択して下さい。」のテキスト文字と、決済方法を示すと共に、該決済方法による決済を要求するための情報、例えばＵＲＬが埋め込まれた文字「クレジットカード決済」、「ウェブマネー」、「銀行振り込み」、及び「サイト登録決済」とを含む。特に、「サイト登録決済」の文字には、ネットワーク上における決済装置１の所在を示すＵＲＬと、該ＵＲＬの末尾に付されたパラメータとが埋め込まれたハイパーリンクを構成している。該パラメータには、電子商取引装置２を識別するための電子商取引装置ＩＤと、使用者を特定するための使用者ＩＤに相当する携帯電話機ＩＤとが含まれる。
【００４５】
そして、制御部３１は、操作部３６の操作状態を監視することによって、本発明に係るサイト登録決済が選択されたか否かを判定する（ステップＳ７０）。使用者は、携帯電話機３の操作部３６、例えば十字キーを操作することによって、決済方法選択画面に表示された文字「クレジットカード決済」、「ウェブマネー」、「銀行振り込み」又は「サイト登録決済」のいずれかを仮選択することができ、操作部３６の決定ボタンが操作された場合、決定ボタン操作時に仮選択されていた決済方法が選択される。
【００４６】
ステップＳ７０でサイト登録決済が選択されていないと判定した場合（ステップＳ７０：ＮＯ）、つまりサイト登録決済以外のクレジットカード、ウェブマネー、銀行振り込みによる決済方法が選択された場合、電子商取引装置２の制御部２１は、選択された決済方法に従って、所定の決済処理を実行し（ステップＳ７１）、処理を終える。クレジットカード、ウェブマネー、銀行振り込みによる決済方法は、従来技術であるため、詳細な説明を省略する。
【００４７】
本発明に係るサイト登録決済が選択されたと判定した場合（ステップＳ７０：ＹＥＳ）、制御部３１は、サイト登録決済要求を、通信部３５を介して決済装置１へ送信する（ステップＳ７２）。具体的には、制御部３１は、「サイト登録決済」に埋め込まれているＵＲＬによって、決済装置１の所在を特定し、該ＵＲＬのパラメータと共に、サイト登録決済を要求するための情報を決済装置１へ送信する。前記パラメータは、電子商取引装置ＩＤ及び携帯電話機ＩＤを含む。
【００４８】
決済装置１の制御部１１は、携帯電話機３から送信されたサイト登録決済要求を、通信部１５を介して受信する（ステップＳ７３）。もちろん、制御部１１は、携帯電話機３から送信されたパラメータも受信する。そして、サイト登録決済要求を受信した制御部１１は、不正使用情報ＤＢ１４ｄから不正使用情報を読み出し（ステップＳ７４）、読み出した不正使用情報と、受信したパラメータの一つである携帯電話機ＩＤとに基づいて、決済を要求している携帯電話機３の使用者に不正使用の経歴があるか否かを判定する（ステップＳ７５）。より具体的には、不正使用情報ＤＢ１４ｄから、ステップＳ７３で受信した携帯電話機ＩＤに対応する不正フラグを検索し、抽出する。そして、抽出された不正フラグの内容を参照することによって、当該使用者に不正使用の履歴があるか否かを判定する。
【００４９】
ステップＳ７５で不正使用の経歴があると判定した場合（ステップＳ７５：ＹＥＳ）、制御部１１は、決済を拒否するための決済拒否情報を、通信部１５を介して携帯電話機３へ送信する（ステップＳ７６）。
【００５０】
携帯電話機３の制御部３１は、決済装置１から送信された決済拒否情報を、通信部３５を介して受信する（ステップＳ７７）。そして、制御部３１は、受信した決済拒否情報に基づいて決済拒否画面を表示部３７に表示し（ステップＳ７８）、処理を終える。
【００５１】
ステップＳ７５で不正使用の経歴が無いと判定した場合（ステップＳ７５：ＮＯ）、制御部１１は、ステップＳ７３で受信したパラメータの一つである電子商取引装置ＩＤに基づいて、電子商取引装置情報ＤＢ１４ｃから、該電子商取引装置ＩＤに対応する電子商取引装置２に関する情報（以下、電子商取引装置情報という）を読み出し（ステップＳ８０）、読み出した電子商取引装置情報に基づいて、サイト登録決済画面のデザインを決定する（ステップＳ８１）。具体的には、制御部１１は、電子商取引装置ＩＤに基づいて、電子商取引装置情報ＤＢ１４ｃの「決済画面デザイン」列に格納されている情報を抽出する。例えば、電子商取引装置ＩＤ「コスメ」に対応して「決済画面デザイン」列に格納されている情報「背景色○○色」の情報を抽出する。そして、制御部１１は、抽出された情報を、ＲＡＭ１３に一時記憶させる。なお、言うまでもなく、デザインの決定要素としては背景色に限定されない。テンプレート、ロゴ、文字の色、画像の差し込みなどを決定できるようにしても良い。
【００５２】
そして、制御部１１は、ＲＡＭ１３に一時記憶させたサイト登録決済画面のデザインを特定するための情報を参照して、サイト登録決済画面を生成し（ステップＳ８２）、生成したサイト登録決済画面情報を、通信部１５を介して、携帯電話機３へ送信する（ステップＳ８３）。サイト登録画面情報には、商品又はサービスの料金を決済するために利用登録されるべき有料コンテンツの数を示した複数のコース情報（所定利用登録数情報）を携帯電話機３の表示部３７に表示し、コースの選択を受け付けるための情報が含まれている。
【００５３】
携帯電話機３の制御部３１は、決済装置１から送信されたサイト登録決済画面情報を、通信部３５を介して受信し（ステップＳ８４）、受信したサイト登録決済画面情報に基づいて、サイト登録決済画面を表示部３７に表示する（ステップＳ８５）。
【００５４】
図１３は、サイト登録決済画面の一例を示す模式図である。サイト登録決済画面は、上部に表示される「コースで選ぶ」のテキスト文字と、複数の決済コースを示す文字「Ａコース」、「Ｂコース」、「Ｃコース」及び「Ｄコース」とを含む。「Ａコース」の文字は、商品又はサービスの料金を決済するために利用登録されるべき有料コンテンツの数が５件であることを決済装置１に指定するためのハイパーリンクである。同様に、「Ｂコース」、「Ｃコース」及び「Ｄコース」は、利用登録されるべき有料コンテンツの数が１０件、１５件、２０件であることを夫々指定するためのハイパーリンクである。
【００５５】
そして、制御部３１は、表示部３７に一覧表示された複数のコースのいずれかを操作部３６にて受け付け（ステップＳ８６）、受け付けたコースに係るコース情報、つまり文字「Ａコース」、「Ｂコース」、「Ｃコース」又は「Ｄコース」にハイパーリンクとして埋め込まれたコース情報を、通信部３５を介して、決済装置１へ送信する（ステップＳ８７）。
【００５６】
決済装置１の制御部１１は、携帯電話機３から送信されたコース情報を、通信部１５を介して受信する（ステップＳ８８）。コース情報を受信した制御部１１は、電子商取引装置情報ＤＢ１４ｃから、ステップＳ７３で受信した電子商取引装置ＩＤに対応する電子商取引装置情報、特に「属性」列に格納された情報と、「有料コンテンツの並べ方」列に格納された情報とを読み出す（ステップＳ８９）。また、制御部１１は、広告情報ＤＢ１４ｂから広告情報を読み出す（ステップＳ９０）。そして、制御部１１は、電子商取引装置情報と、広告情報とに基づいて、有料コンテンツ一覧の配列方法を決定し（ステップＳ９１）、有料コンテンツ一覧を生成する（ステップＳ９２）。
【００５７】
例えば、制御部１１は、電子商取引装置ＩＤ「コスメ」の商品の料金を決済する場合、電子商取引装置ＩＤ「コスメ」に対応して「有料コンテンツの並べ方」列に格納された情報「属性に応じた順番」を参照する。電子商取引装置ＩＤ「コスメ」の属性は、「属性」列に格納された情報「女性・２０代…」である。そこで、制御部１１は、属性「女性・２０代…」と一致する有料コンテンツを選択し、配列することによって有料コンテンツ一覧を生成する。
同様に、電子商取引装置ＩＤ「音楽」における決済を行う場合、対応する「有料コンテンツの並べ方」列に格納されている情報「登録人気に応じた順序」を参照し、登録者数が多い有料コンテンツを昇順に配列した有料コンテンツ一覧を生成する。なお、登録者数は、広告情報、特に広告情報ＤＢ１４ｂの「登録者数」列に格納されている情報によって特定することができる。
更に、電子商取引装置ＩＤ「コミック」における決済を行う場合、対応する「有料コンテンツの並べ方」列に格納されている情報「サイト指定」を参照し、電子商取引業者によって予め指定された順序で有料コンテンツを配列した有料コンテンツ一覧を生成する。
【００５８】
そして、制御部は、生成された有料コンテンツ一覧の内容である有料コンテンツ一覧情報を、通信部１５を介して携帯電話機３へ送信する（ステップＳ９３）。
【００５９】
携帯電話機３の制御部３１は、決済装置１から送信されたコンテンツ一覧情報を、通信部３５を介して受信し（ステップＳ９４）、受信した有料コンテンツ一覧情報に基づいて、有料コンテンツ一覧を表示部３７に表示させる（ステップＳ９５）。
【００６０】
図１４は、有料コンテンツ一覧の一例を示す模式図である。有料コンテンツ一覧は、各コンテンツ提供装置４が提供する有料コンテンツの名称を示したテキスト文字「着うた（登録商標）サイトＡ」、「デコメサイトＢ」等を含む。各テキスト文字には、該テキスト文字で表示された有料コンテンツを提供するコンテンツ提供装置４のネットワーク上における所在を示す情報、携帯電話機ＩＤ、決済装置１から該コンテンツ提供装置４へ誘導されたことを示す情報等が埋め込まれたハイパーリンクである。
【００６１】
ステップＳ９５の処理を終えた制御部３１は、一覧表示された有料コンテンツから、使用者が利用登録を所望する有料コンテンツを操作部３６にて受け付ける（ステップＳ９６）。利用登録対象の有料コンテンツを受け付けた制御部３１は、該有料コンテンツの利用登録を要求する有料コンテンツ登録要求を、通信部３５を介して、コンテンツ提供装置４へ送信する（ステップＳ９７）。
【００６２】
コンテンツ提供装置４の制御部４１は、携帯電話機３から送信された有料コンテンツ登録要求を、通信部４５を介して受信し（ステップＳ９８）、有料コンテンツの登録処理を実行する（ステップＳ９９）。そして、有料コンテンツ登録情報を受信した制御部４１は、携帯電話機ＩＤの使用者によって有料コンテンツが登録された旨を示す利用登録情報を、通信部４５を介して、決済装置１へ送信する（ステップＳ１００）。利用登録情報には、携帯電話機ＩＤ、コンテンツ提供装置４を識別するためのコンテンツ提供装置ＩＤ、有料コンテンツを示すアフィリエイトコード、該有料コンテンツが利用登録された旨を示す情報等が含まれている。
【００６３】
決済装置１の制御部１１は、コンテンツ提供装置４から送信された利用登録情報を、通信部１５を介して受信する（ステップＳ１０１）。そして、制御部１１は、利用登録情報を売上・決済情報ＤＢ１４ａに記憶させる（ステップＳ１０２）。具体的には、制御部１１は、図３に示すように売上・決済情報ＤＢ１４ａの各項目に対応する情報、即ち携帯電話機ＩＤ、電子商取引装置ＩＤ、コンテンツ提供装置ＩＤ、広告費、登録フラグ、アフィリエイトコード、決済完了フラグを格納させる。なお、利用登録された直後においては、「登録フラグ」列に１が登録され、「決済完了フラグ」列には、未決済情報を示す情報が格納される。
【００６４】
次いで、制御部１１は、決済に利用されていない有料コンテンツの登録数が、所定利用登録数以上であるか否かを判定する（ステップＳ１０３）。所定利用登録数は、ステップＳ８６で受け付けたコースの種類によって決定される。所定利用登録数未満であると判定された場合（ステップＳ１０３：ＮＯ）、制御部１１は、処理をステップＳ９５へ戻す。所定利用登録数以上であると判定された場合（ステップＳ１０３：ＹＥＳ）、制御部１１は、決済完了処理を実行する（ステップＳ１０４）。具体的には、決済処理対象の携帯電話機ＩＤのレコード中、未決済状態であり、かつ登録フラグが１のレコードを特定し、該レコードの「決済完了フラグ」列に決済が完了した旨の情報を登録する処理を実行する。
【００６５】
そして、制御部１１は、決済完了画面情報を、通信部１５を介して携帯電話機３へ送信する（ステップＳ１０５）。
【００６６】
携帯電話機３の制御部３１は、決済装置１から送信された決済完了画面情報を受信し（ステップＳ１０６）、決済完了画面情報に基づいて、決済完了画面を表示部３７に表示させる（ステップＳ１０７）。
【００６７】
図１５は、決済完了画面の一例を示す模式図である。決済完了画面は、決済完了したコースの決済を確定させるための文字「登録完了しました」を含む。
【００６８】
次いで、制御部３１は、操作部３６にて決済完了の操作がされた場合、つまり、「登録完了しました」の文字が選択された場合、決済完了要求を、通信部３５を介して決済装置１へ送信する（ステップＳ１１０）。決済完了要求には、携帯電話機ＩＤが含まれている。
【００６９】
そして、決済装置１の制御部１１は、決済装置１から送信された決済完了要求を、通信部１５を介して受信する（ステップＳ１１１）。そして、決済完了要求を受信した制御部１１は、決済の完了を通知する決済完了情報を、通信部１５を介して電子商取引装置２へ送信する（ステップＳ１１２）。
決済完了情報は、例えばＨＴＴＰのＧＥＴメソッドによって送信する。
【００７０】
電子商取引装置２の制御部２１は、決済装置１から送信された決済完了情報を、通信部２５を介して受信し（ステップＳ１１３）、商品等の提供処理を実行し（ステップＳ１１４）、処理を終える。
【００７１】
＜決済管理画面及び売上管理画面の表示処理＞
図１６は、決済管理画面及び売上げ管理画面の表示に係る制御部２１、３１の処理手順を示すフローチャートである。電子商取引装置２の制御部２１は、図示しない入力装置の操作状態を監視することによって、図１７に示すような決済管理画面の要求を指示する操作がなされたか否かを判定する（ステップＳ１６０）。決済管理画面の要求を指示する操作がなされたと判定した場合（ステップＳ１６０：ＹＥＳ）、制御部２１は、決済管理画面要求を、通信部２５を介して決済装置１へ送信する（ステップＳ１６１）。
【００７２】
決済装置１の制御部１１は、電子商取引装置２から送信された決済管理画面要求を、通信部１５を介して受信する（ステップＳ１６２）。決済管理画面要求を受信した制御部１１は、要求元の電子商取引装置２の電子商取引装置ＩＤに基づいて、売上・決済情報ＤＢ１４ａから、該電子商取引装置２に関する決済の情報を読み出し、読み出した情報に基づいて、決済管理画面を生成し（ステップＳ１６３）、生成した決済管理画面を表示するための情報である決済管理画面情報を、通信部１５を介して電子商取引装置２へ送信する（ステップＳ１６４）。
【００７３】
電子商取引装置２の制御部２１は、決済装置１から送信された決済管理画面情報を、通信部２５を介して受信し（ステップＳ１６５）、受信した決済管理画面情報に基づいて、決済管理画面を図示しない表示装置に表示させる（ステップＳ１６６）。
【００７４】
図１７は、決済管理画面の一例を示す模式図である。決済管理画面は、電子商取引装置２から指定された計上月において、本実施の形態に係る決済方法によって決済が行われた件数、各決済処理で決済された決済金額の一覧、決済金額の合計額を表示している。決済管理では、図３に示す「決済完了フラグ」に丸印が付されている情報のみが計上される。
図１７に示す、計上月に、所望の数字を入力し、検索ボタンをクリックすることによって、所望の計上月における決済情報を表示させることができる。
【００７５】
ステップＳ１６６の処理を終えた場合、又はステップＳ１６０で決済管理画面の要求を指示する操作がなされていないと判定した場合（ステップＳ１６０：ＮＯ）、制御部２１は、図示しない入力装置の操作状態を監視することによって、売上管理画面の要求を指示する操作がなされたか否かを判定する（ステップＳ１６７）。売上管理画面の要求を指示する操作がなされていないと判定した場合（ステップＳ１６７：ＮＯ）、処理を終える。売上管理画面の要求を指示する操作がなされたと判定した場合（ステップＳ１６７：ＹＥＳ）、売上管理画面要求を、通信部２５を介して決済装置１へ送信する（ステップＳ１６８）。
【００７６】
決済装置１の制御部１１は、電子商取引装置２から送信された売上管理画面要求を、通信部１５を介して受信する（ステップＳ１６９）。売上管理画面要求を受信した制御部１１は、要求元の電子商取引装置２の電子商取引装置ＩＤに基づいて、売上・決済情報ＤＢ１４ａから、該電子商取引装置２に関する売上の情報を読み出し、読み出した情報に基づいて、売上管理画面を生成し（ステップＳ１７０）、生成した売上管理画面を表示するための情報である売上管理画面情報を、通信部１５を介して電子商取引装置２へ送信する（ステップＳ１７１）。
【００７７】
電子商取引装置２の制御部２１は、決済装置１から送信された売上管理画面情報を、通信部２５を介して受信し（ステップＳ１７２）、受信した売上管理画面情報に基づいて、売上管理画面を図示しない表示装置に表示させ（ステップＳ１７３）、処理を終える。
【００７８】
図１８は、売上管理画面の一例を示す模式図である。売上管理画面は、電子商取引装置２から指定された計上月において、利用登録がされた件数、各利用登録によって、決済装置１から電子商取引装置２へ支払われるべき金額（売上金額）、売上金額の合計額を表示している。
売上管理では、図３に示す「決済完了フラグ」に丸印が付されている情報のみならず、「決済完了フラグ」にバツ印が付されている情報も計上される。決済が完了していない状態でも、有料コンテンツの利用登録は完了しているため、該利用登録に応じて広告費の一部は電子商取引業者の売上げとして確定している。このため、図１８に示した売上額の合計額は、常に図１７に示した決済額の合計額よりも多額になる。
図１８に示す、計上月に、所望の数字を入力し、検索ボタンをクリックすることによって、所望の計上月における売上情報を表示させることができる。
なお、上述の処理では、決済及び売上げに係る情報を表示するのみであるが、電子商取引装置２は決済装置１から該情報をダウンロードできるように構成しても良い。例えば、銀行振込等の決済手段と同様、ＣＳＶ形式でダウンロードできるように構成すると良い。
【００７９】
＜利用登録継続処理＞
図１９は、利用登録が継続している旨の通知に係る制御部１１，２１，４１の処理手順を示すフローチャートである。コンテンツ提供装置４の制御部４１は、決済装置１を通じて利用登録された有料コンテンツ、該有料コンテンツの使用者、利用登録状態を管理している。制御部４１は、月額制で利用できる有料コンテンツの利用登録が継続し、次月の利用登録が確定した場合、利用登録が継続された有料コンテンツを識別するコンテンツＩＤ、ユーザＩＤに相当する携帯電話機ＩＤ、利用登録が継続した旨の情報を含む利用登録継続通知を、通信部４５を介して決済装置１へ送信する（ステップＳ１９０）。
【００８０】
決済装置１の制御部１１は、コンテンツ提供装置４から送信された利用登録継続通知を、通信部１５を介して受信する（ステップＳ１９１）。利用登録継続通知を受信した制御部１１は、利用登録が継続された旨を、売上・決済情報ＤＢ１４ａに登録する（ステップＳ１９２）。そして、制御部１１は、利用登録継続情報を、通信部１５を介して、電子商取引装置２へ送信する（ステップＳ１９３）。
【００８１】
電子商取引装置２の制御部２１は、決済装置１から送信された利用登録継続情報を、通信部２５を介して受信する（ステップＳ１９４）。利用登録継続情報を受信した制御部２１は、各電子商取引装置２に応じた所定処理を実行し（ステップＳ１９５）、処理を終える。
【００８２】
所定処理は、例えば利用登録が継続している有料コンテンツの使用者に対して、今後の決済に利用が可能なポイントを付与する等の処理を実行する。また、所定の商品又はサービスを提供するようにしても良い。利用登録が継続した場合、コンテンツ提供装置４側が継続的な利用登録に対する対価を決済装置１側へ支払い、決済装置１は、該対価の一部を電子商取引装置２へ支払うことになっている場合、電子商取引装置２は利用登録継続情報を受信する都度、何らかの商品又はサービスを使用者に提供することができる。
【００８３】
以上、本実施の形態に係る決済システム、決済装置１及び決済方法にあっては、携帯電話機３の通信料金と共に決済処理を行うことができない商品又はサービスの料金を、クレジットカード、決済用の口座、ウェブマネーを用いること無く決済することができると共に、効果的に有料コンテンツの利用登録を成立させることができる。
本実施の形態に係る決済方法における金銭の流れは以下の通りである。携帯電話機３の使用者が、商品又はサービスの決済を行うべく、決済装置１を介して有料コンテンツの利用登録を行った場合、有料コンテンツの利用料金が発生する。該利用料金は、携帯電話機３の通信料金に併課することが可能であり、図示しない携帯電話決済装置を介して、コンテンツ提供装置に支払われる（図１参照）。コンテンツ提供装置４は、有料コンテンツの広告サービスの対価として、広告費を決済装置１へ支払う。そして、決済装置１は、広告費から諸経費を差し引いた残りの金銭、例えば広告費×７０％の金銭を電子商取引装置２へ支払う。従って、電子商取引装置２は、広告費×７０％相当の商品又はサービスを、前記使用者に提供することができる。
【００８４】
また、リアルタイムで、決済の完了を通知するように構成してあるため、電子商取引装置２側も、自動的にリアルタイムで決済その他の各種サービスを提供することができる。
なお、電子商取引装置２が決済及び売上げに関する情報を決済装置１からダウンロードし、該情報に基づいて、決済状況を確認し、決済その他ポイント付与等の各種サービスを提供しても良い。
【００８５】
更に、有料コンテンツの利用登録を継続する使用者にとって、より魅力的な決済方法を提供すると共に、有料コンテンツをより効果的に広告し、誘引することができる。
【００８６】
更にまた、決済するために利用登録されるべき有料コンテンツの数を定めたコースを設け、所定利用登録数以上の利用登録があった場合に決済を行うように構成してあるため、一つの有料コンテンツの利用登録によって決済が可能な決済システムに比べて、有料コンテンツの利用登録数を増加させることができる。
【００８７】
更にまた、本決済システムの不正使用者を排除することができる。例えば、コンテンツ提供業者から該当使用者が不正であることが通知された場合、不正フラグがオンとなり、今後該当使用者の決済ができないようにすることができる。
【００８８】
更にまた、電子商取引装置２毎に、有料コンテンツ一覧における有料コンテンツの並べ方を変更することができる。
電子商取引装置２毎に、導入する使用者の属性が異なるため、電子商取引装置２の属性に近い有料コンテンツから昇順で配列することによって、使用者が所望する有料コンテンツを優先的に表示することができ、有料コンテンツを利用登録し易くすることができる。
【００８９】
更にまた、登録者の多い有料コンテンツから昇順に配列した有料コンテンツ一覧を表示し、有料コンテンツを利用登録し易くすることができる。
【００９０】
更にまた、電子商取引装置２毎に、決済画面のデザインを変更することができる。
【００９１】
（変形例１）
変形例１に係る決済システムは、上述の実施の形態のようにコースを選択し、コース選択によって固定された所定利用登録数以上の有料コンテンツを利用登録する必要は無く、電子商取引装置２で購入された商品又はサービスの料金に応じた数の有料コンテンツを利用登録することによって、柔軟に該商品又はサービスの決済を行うことができるシステムである。例えば、上述の実施の形態では、電子商取引装置２で購入した商品の金額に拘わらず、少なくとも５件の利用登録が必要であったが、変形例１に係る決済システムによれば、商品の金額によっては３件の利用登録で決済をすることもできる。
【００９２】
変形例１に係る決済システムは、コースの選択に関する処理を省き、有料コンテンツを直接選択できるように構成されている。変形例１に制御部１１、２１、３１、４１の処理手順は、図６乃至図１１で示した処理手順と同様であるため、異なる処理手順のみを説明する。
【００９３】
ステップＳ７２で、携帯電話機３の制御部３１は、サイト登録決済要求を、通信部３５を介して決済装置１へ送信する際、パラメータとして電子商取引装置ＩＤ、携帯電話機ＩＤ、決済する料金を示した料金情報、及び商品を特定するための商品ＩＤも決済装置１へ送信する。決済装置１の制御部は、受信した料金情報及び商品ＩＤを、携帯電話機ＩＤに対応付けてデータベース１４に格納する。
【００９４】
また、ステップＳ８２で、制御部１１は、カテゴリ又は有料コンテンツの価格で、所望の有料コンテンツを絞りこむためのサイト登録決済画面を生成し、生成したサイト登録決済画面情報を携帯電話機３へ送信する。携帯電話機３は、決済装置１から送信されたサイト登録決済画面情報を受信し、サイト登録決済画面を表示する。
【００９５】
図２０は、変形例１に係るサイト登録決済画面の一例を示す模式図である。変形例１に係るサイト登録決済画面には、「カテゴリで選ぶ」の文字と共に、有料コンテンツのカテゴリを選択するためのハイパーリンクである文字「新着」、「着うた」等の文字が表示される。また、サイト登録画面には、「価格で選ぶ」の文字と共に、有料コンテンツの価格を選択するためのハイパーリンクである文字「１０００円以上」、「５０００円以上」等の文字が表示される。
なお、携帯電話機３の制御部３１は、ステップＳ８６でコースを受け付ける代わりに、前記カテゴリ、前記有料コンテンツの価格を受け付ける。また、制御部３１は、ステップＳ８７でコース情報を送信する代わりに、前記カテゴリ又は価格を示す情報を決済装置１へ送信する。更に、決済装置１の制御部１１は、ステップＳ８８でコース情報を受信する代わりに、前記カテゴリ又は価格を示す情報を受信する。
【００９６】
図２１は、変形例１に係る有料コンテンツ一覧を示す模式図である。図２０に示したサイト登録決済画面で「着うた」が選択された場合、図２１に示すように、「着うた」に関連する有料コンテンツの一覧が表示される。他のカテゴリを選択された場合も同様であり、選択されたカテゴリに応じた有料コンテンツの一覧が表示される。
なお、ステップＳ９２で、決済装置１の制御部１は、携帯電話機１から送信されてきたカテゴリ又は価格を示す情報に基づいて、変形例１に係る有料コンテンツ一覧を生成する。
【００９７】
図２２は、変形例１の決済方法に係る制御部１１，２１の処理手順を示すフローチャートである。決済装置１の制御部１１は、ステップＳ１０２の処理を終えた場合、未だ決済に利用されていない利用登録を特定するための情報を売上・決済情報ＤＢ１４ａから読み出す（ステップＳ２２０）。また、制御部１１は、広告情報ＤＢ１４ｂから広告情報を読み出す（ステップＳ２２１）。更に、制御部１１は、決済すべき料金情報をデータベース１４から読み出す（ステップＳ２２２）。そして、制御部１１は、利用登録情報、広告情報及び利用料金情報に基づいて、決済が可能か否かを判定する（ステップＳ２２３）。
【００９８】
決済が不能であると判定した場合（ステップＳ２２３：ＮＯ）、制御部１１は、ステップＳ９５へ戻し、利用登録に係る処理を繰り返し実行する。決済が可能であると判定した場合（ステップＳ２２３：ＹＥＳ）、制御部１１は、決済完了処理を実行し（ステップＳ２２４）、決済完了情報を、通信部１５を介して携帯電話機３へ送信する（ステップＳ２２５）。
【００９９】
電子商取引装置２の制御部２１は、決済装置１から送信された決済完了情報を、通信部２５を介して受信する（ステップＳ２２６）。そして、決済完了情報を受信した制御部１１は、商品等の提供処理を実行し（ステップＳ２２７）、処理を終える。
【０１００】
変形例１に係る決済システム、決済装置１及び決済方法にあっては、電子商取引装置２で購入した商品又はサービス毎に料金が異なる場合であっても、料金に応じた数の有料コンテンツを利用登録することによって、決済を完了させることができる。
【０１０１】
なお、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【図面の簡単な説明】
【０１０２】
【図１】本発明の実施の形態に係る決済システムの構成を模式的に示すブロック図である。
【図２】決済システムの構成を模式的に示すブロック図である。
【図３】売上・決済情報ＤＢのレコードレイアウトを概念的に示す説明図である。
【図４】広告情報ＤＢのレコードレイアウトを概念的に示す説明図である。
【図５】電子商取引装置情報ＤＢ及び不正使用情報ＤＢのレコードレイアウトを概念的に示す説明図である。
【図６】決済に係る制御部の処理手順を示すフローチャートである。
【図７】決済に係る制御部の処理手順を示すフローチャートである。
【図８】決済に係る制御部の処理手順を示すフローチャートである。
【図９】決済に係る制御部の処理手順を示すフローチャートである。
【図１０】決済に係る制御部の処理手順を示すフローチャートである。
【図１１】決済に係る制御部の処理手順を示すフローチャートである。
【図１２】決済方法選択画面の一例を示す模式図である。
【図１３】サイト登録決済画面の一例を示す模式図である。
【図１４】有料コンテンツ一覧の一例を示す模式図である。
【図１５】決済完了画面の一例を示す模式図である。
【図１６】決済管理画面及び売上げ管理画面の表示に係る制御部の処理手順を示すフローチャートである。
【図１７】決済管理画面の一例を示す模式図である。
【図１８】売上管理画面の一例を示す模式図である。
【図１９】利用登録が継続している旨の通知に係る制御部の処理手順を示すフローチャートである。
【図２０】変形例１に係るサイト登録決済画面の一例を示す模式図である。
【図２１】変形例１に係る有料コンテンツ一覧を示す模式図である。
【図２２】変形例１の決済方法に係る制御部の処理手順を示すフローチャートである。
【符号の説明】
【０１０３】
１  決済装置
２  電子商取引装置
３  携帯電話機
４  コンテンツ提供装置
１１  制御部
１２  記憶部
１４  データベース
１５  通信部
２１  制御部
２２  記憶部
２５  通信部
３１  制御部
３２  記憶部
３５  通信部
３６  操作部
３７  表示部
４１  制御部
４２  記憶部
４４  有料コンテンツ情報ＤＢ
４５  通信部
Ｎ  通信網
【図１】
2010109759.tif 000003
【図２】
2010109759.tif 000004
【図３】
2010109759.tif 000005
【図４】
2010109759.tif 000006
【図５】
2010109759.tif 000007
【図６】
2010109759.tif 000008
【図７】
2010109759.tif 000009
【図８】
2010109759.tif 000010
【図９】
2010109759.tif 000011
【図１０】
2010109759.tif 000012
【図１１】
2010109759.tif 000013
【図１２】
2010109759.tif 000014
【図１３】
2010109759.tif 000015
【図１４】
2010109759.tif 000016
【図１５】
2010109759.tif 000017
【図１６】
2010109759.tif 000018
【図１７】
2010109759.tif 000019
【図１８】
2010109759.tif 000020
【図１９】
2010109759.tif 000021
【図２０】
2010109759.tif 000022
【図２１】
2010109759.tif 000023
【図２２】
2010109759.tif 000024
【手続補正書】
【提出日】平成21年4月14日(2009.4.14)
【手続補正１】
【補正対象書類名】特許請求の範囲
【補正対象項目名】全文
【補正方法】変更
【補正の内容】
【特許請求の範囲】
【請求項１】
携帯電話機用通信部、操作部及び表示部、並びに該携帯電話機用通信部及び表示部の動作を制御する制御部を有する携帯電話機と、コンテンツ提供装置用通信部及び該コンテンツ提供装置用通信部の動作を制御する制御部を有し、前記携帯電話機の通信料金に、その利用料金を併課することが可能な有料コンテンツを提供するコンテンツ提供装置と、電子商取引装置用通信部、及び該電子商取引装置用通信部の動作を制御する制御部を有し、前記携帯電話機から、前記携帯電話機の通信料金に、その利用料金を併課することが不能な商品又はサービスの購入を受け付け、該商品又はサービスの購入を受け付けた場合、前記有料コンテンツの利用料金の一部を前記商品又はサービスの料金の決済に充てることによって行う決済を要求するための情報を、前記電子商取引装置用通信部を介して前記携帯電話機へ送信する電子商取引装置と、決済装置用通信部、前記コンテンツ提供装置から提供が可能な有料コンテンツの名称又は内容を記憶している広告情報データベース、前記決済装置用通信部の動作を制御する制御部を有し、前記電子商取引装置にて受け付けた購入対象の商品又はサービスの料金を、前記携帯電話機の決済処理システムから独立した処理によって決済する決済装置とを備える決済システムであって、
前記携帯電話機の制御部は、
前記決済を要求するための情報に基づいて、携帯電話機ＩＤ及び電子商取引装置ＩＤに係る情報を含むサイト登録決済要求を、前記携帯電話機用通信部を介して前記決済装置へ送信する手段を備え、
前記決済装置の制御部は、
前記携帯電話機からサイト登録決済要求を、前記決済装置用通信部を介して受信した場合、前記広告情報データベースが記憶している有料コンテンツの名称又は内容を表示するための有料コンテンツ表示情報を、前記決済装置用通信部を介して前記携帯電話機へ送信する手段を備え、
更に、前記携帯電話機の制御部は、
前記決済装置から送信された有料コンテンツ表示情報を、前記携帯電話機用通信部を介して受信する手段と、
該携帯電話機用通信部にて受信した有料コンテンツ表示情報に基づいて、有料コンテンツの名称又は内容を前記表示部にて表示する手段と、
表示された有料コンテンツのいずれかを前記操作部にて受け付ける手段と、
携帯電話機ＩＤに係る情報を含み、該操作部にて受け付けた有料コンテンツの利用登録を要求するための情報を、前記携帯電話機用通信部を介して前記コンテンツ提供装置へ送信する手段と
を備え、
前記コンテンツ提供装置の制御部は、
前記携帯電話機から有料コンテンツの利用登録を要求された場合、携帯電話機ＩＤに係る情報を含み、該有料コンテンツの利用登録の発生を通知するための利用登録情報を、前記コンテンツ提供装置用通信部を介して前記決済装置へ送信する手段を備え、
更に、前記決済装置の制御部は、
前記コンテンツ提供装置から送信された利用登録情報を、前記決済装置用通信部を介して受信する手段と、
該利用登録情報を受信した場合、携帯電話機ＩＤに係る情報にて識別される携帯電話機から受け付けた商品又はサービスの料金の決済が完了した旨の決済完了情報を、前記決済装置用通信部を介して、電子商取引装置ＩＤに係る情報にて識別される前記電子商取引装置へ送信する手段と
を備えることを特徴とする決済システム。
【請求項２】
前記コンテンツ提供装置の制御部は、
有料コンテンツの利用量に応じて利用料金が発生する有料コンテンツを、前記コンテンツ提供装置用通信部を介して提供するようにしてあり、
前記決済装置の制御部は、
有料コンテンツの利用量が増加した場合、有料コンテンツが継続利用されている旨を通知するための情報を、前記決済装置用通信部を介して前記電子商取引装置へ送信する手段を備える
ことを特徴とする請求項１に記載の決済システム。
【請求項３】
前記決済装置の制御部は、
商品又はサービスの料金を決済するために利用登録されるべき有料コンテンツの数を示した複数の所定利用登録数情報を、前記決済装置通信部を介して前記携帯電話機へ送信する手段を備え、
前記携帯電話機の制御部は、
前記決済装置から送信された複数の所定利用登録数情報を、前記携帯電話用通信部を介して受信する手段と、
受信した複数の所定利用登録数情報に基づいて所定利用登録数を前記表示部にて表示する手段と、
表示された所定利用登録数のいずれかを前記操作部にて受け付ける手段と、
受け付けた所定利用登録数に係る所定利用登録数情報を前記決済装置へ送信する手段と
を備え、
前記決済装置の制御部は、
前記携帯電話機から送信された所定利用登録数情報を、前記決済装置用通信部を介して受信する手段と、
前記コンテンツ提供装置から送信された前記利用登録情報を受信した場合、利用登録された有料コンテンツを売上・決済情報データベースに記憶する記憶手段と、
利用登録された有料コンテンツの数が、前記所定利用登録数情報に係る所定利用登録数以上であるか否かを判定する手段と
を備え、
利用登録された有料コンテンツの数が前記所定利用登録数以上であると判定された場合、決済完了情報を、前記決済装置用通信部を介して前記電子商取引装置へ送信するようにしてある
ことを特徴とする請求項１又は請求項２に記載の決済システム。
【請求項４】
前記携帯電話機の制御部は、
商品又はサービスの料金を示す料金情報を前記決済装置へ前記携帯電話機用通信部を介して送信する手段を備え、
前記決済装置は、
各有料コンテンツ及び該有料コンテンツの利用登録にて決済が可能な金額に関する情報を対応付けたテーブルを備え、
前記決済装置の制御部は、
前記携帯電話機から送信された料金情報を前記決済装置用通信部を介して受信する手段と、
前記コンテンツ提供装置から送信された前記利用登録情報を、前記決済装置用通信部を介して受信した場合、利用登録された有料コンテンツを売上・決済情報データベースに記憶する記憶手段と、
該売上・決済情報データベースが記憶している有料コンテンツ、前記テーブル及び料金情報に基づいて、商品又はサービスの決済が可能か否かを判定する判定手段と
を備え、
決済が可能と判定された場合、決済完了情報を、前記決済装置用通信部を介して前記電子商取引装置へ送信するようにしてある
ことを特徴とする請求項１又は請求項２に記載の決済システム。
【請求項５】
決済装置用通信部、前記コンテンツ提供装置から提供が可能な有料コンテンツの名称又は内容を記憶している広告情報データベース、前記決済装置用通信部の動作を制御する制御部を有し、電子商取引装置が携帯電話機から受け付けた、該携帯電話機の通信料金に、その利用料金を併課することが不能な商品又はサービスの料金を、前記携帯電話機の決済処理システムから独立した処理によって決済する決済装置であって、
前記制御部は、
前記携帯電話機から送信された携帯電話機ＩＤ及び電子商取引装置ＩＤに係る情報を含むサイト登録決済要求を、前記決済装置用通信部を介して受信した場合、前記広告情報データベースが記憶している有料コンテンツの名称又は内容を表示するための有料コンテンツ表示情報を、前記決済装置用通信部を介して前記携帯電話機へ送信する手段と、
携帯電話機ＩＤに係る情報を含み、前記携帯電話機を用いた前記有料コンテンツの利用登録の発生を通知するための利用登録情報を、前記決済装置用通信部を介して受信する手段と、
該利用登録情報を受信した場合、携帯電話機ＩＤに係る情報にて識別される携帯電話機から受け付けた商品又はサービスの料金の決済が完了した旨の決済完了情報を、前記決済装置用通信部を介して、電子商取引装置ＩＤに係る情報にて識別される電子商取引装置へ送信する手段と
を備えることを特徴とする決済装置。
【請求項６】
携帯電話機用通信部、操作部及び表示部、並びに該携帯電話機用通信部及び表示部の動作を制御する制御部を有する携帯電話機と、コンテンツ提供装置用通信部及び該コンテンツ提供装置用通信部の動作を制御する制御部を有し、前記携帯電話機の通信料金に、その利用料金を併課することが可能な有料コンテンツを提供するコンテンツ提供装置と、電子商取引装置用通信部、及び該電子商取引装置用通信部の動作を制御する制御部を有し、前記携帯電話機から、前記携帯電話機の通信料金に、その利用料金を併課することが不能な商品又はサービスの購入を受け付け、該商品又はサービスの購入を受け付けた場合、前記携帯電話機を識別するための携帯電話機ＩＤ及び電子商取引装置ＩＤに係る情報を含み、前記有料コンテンツの利用料金の一部を前記商品又はサービスの料金の決済に充てることによって行う決済を要求するための情報を、前記電子商取引装置用通信部を介して前記携帯電話機へ送信する電子商取引装置と、決済装置用通信部、前記コンテンツ提供装置から提供が可能な有料コンテンツの名称又は内容を記憶している広告情報データベース、前記決済装置用通信部の動作を制御する制御部を有し、前記電子商取引装置にて受け付けた購入対象の商品又はサービスの料金を、前記携帯電話機の決済処理システムから独立した処理によって決済する決済装置とを用い、前記有料コンテンツの利用料金の一部を前記商品又はサービスの料金の決済に充てることによって、該料金の決済を行う決済方法であって、
前記携帯電話機の制御部は、
前記決済を要求するための情報に基づいて、携帯電話機ＩＤ及び電子商取引装置ＩＤに係る情報を含むサイト登録決済要求を、前記携帯電話機用通信部を介して前記決済装置へ送信し、
前記決済装置の制御部は、
前記携帯電話機からサイト登録決済要求を、前記決済装置用通信部を介して受信した場合、前記広告情報データベースが記憶している有料コンテンツの名称又は内容を表示するための有料コンテンツ表示情報を、前記決済装置用通信部を介して前記携帯電話機へ送信し、
前記携帯電話機の制御部は、
前記決済装置から送信された有料コンテンツ表示情報を、前記携帯電話機用通信部を介して受信し、
該携帯電話機用通信部にて受信した有料コンテンツ表示情報に基づいて、有料コンテンツの名称又は内容を前記表示部にて表示し、
表示された有料コンテンツのいずれかを前記操作部にて受け付け、
携帯電話機ＩＤに係る情報を含み、該操作部にて受け付けた有料コンテンツの利用登録を要求するための情報を、前記携帯電話機用通信部を介して前記コンテンツ提供装置へ送信し、
前記コンテンツ提供装置の制御部は、
前記携帯電話機から有料コンテンツの利用登録を要求された場合、携帯電話機ＩＤに係る情報を含み、該有料コンテンツの利用登録の発生を通知するための利用登録情報を、前記コンテンツ提供装置用通信部を介して前記決済装置へ送信し、
更に、前記決済装置の制御部は、
前記コンテンツ提供装置から送信された利用登録情報を、前記決済装置用通信部を介して受信し、
該利用登録情報を受信した場合、携帯電話機ＩＤに係る情報にて識別される携帯電話機から受け付けた商品又はサービスの料金の決済が完了した旨の決済完了情報を、電子商取引装置ＩＤに係る情報にて識別される決済装置用通信部を介して前記電子商取引装置へ送信する
ことを特徴とする決済方法。
【手続補正２】
【補正対象書類名】明細書
【補正対象項目名】００１１
【補正方法】変更
【補正の内容】
【００１１】
本発明に係る決済システムは、携帯電話機用通信部、操作部及び表示部、並びに該携帯電話機用通信部及び表示部の動作を制御する制御部を有する携帯電話機と、コンテンツ提供装置用通信部及び該コンテンツ提供装置用通信部の動作を制御する制御部を有し、前記携帯電話機の通信料金に、その利用料金を併課することが可能な有料コンテンツを提供するコンテンツ提供装置と、電子商取引装置用通信部、及び該電子商取引装置用通信部の動作を制御する制御部を有し、前記携帯電話機から、前記携帯電話機の通信料金に、その利用料金を併課することが不能な商品又はサービスの購入を受け付け、該商品又はサービスの購入を受け付けた場合、前記有料コンテンツの利用料金の一部を前記商品又はサービスの料金の決済に充てることによって行う決済を要求するための情報を、前記電子商取引装置用通信部を介して前記携帯電話機へ送信する電子商取引装置と、決済装置用通信部、前記コンテンツ提供装置から提供が可能な有料コンテンツの名称又は内容を記憶している広告情報データベース、前記決済装置用通信部の動作を制御する制御部を有し、前記電子商取引装置にて受け付けた購入対象の商品又はサービスの料金を、前記携帯電話機の決済処理システムから独立した処理によって決済する決済装置とを備える決済システムであって、前記携帯電話機の制御部は、前記決済を要求するための情報に基づいて、携帯電話機ＩＤ及び電子商取引装置ＩＤに係る情報を含むサイト登録決済要求を、前記携帯電話機用通信部を介して前記決済装置へ送信する手段を備え、前記決済装置の制御部は、前記携帯電話機からサイト登録決済要求を、前記決済装置用通信部を介して受信した場合、前記広告情報データベースが記憶している有料コンテンツの名称又は内容を表示するための有料コンテンツ表示情報を、前記決済装置用通信部を介して前記携帯電話機へ送信する手段を備え、更に、前記携帯電話機の制御部は、前記決済装置から送信された有料コンテンツ表示情報を、前記携帯電話機用通信部を介して受信する手段と、該携帯電話機用通信部にて受信した有料コンテンツ表示情報に基づいて、有料コンテンツの名称又は内容を前記表示部にて表示する手段と、表示された有料コンテンツのいずれかを前記操作部にて受け付ける手段と、携帯電話機ＩＤに係る情報を含み、該操作部にて受け付けた有料コンテンツの利用登録を要求するための情報を、前記携帯電話機用通信部を介して前記コンテンツ提供装置へ送信する手段とを備え、前記コンテンツ提供装置の制御部は、前記携帯電話機から有料コンテンツの利用登録を要求された場合、携帯電話機ＩＤに係る情報を含み、該有料コンテンツの利用登録の発生を通知するための利用登録情報を、前記コンテンツ提供装置用通信部を介して前記決済装置へ送信する手段を備え、更に、前記決済装置の制御部は、前記コンテンツ提供装置から送信された利用登録情報を、前記決済装置用通信部を介して受信する手段と、該利用登録情報を受信した場合、携帯電話機ＩＤに係る情報にて識別される携帯電話機から受け付けた商品又はサービスの料金の決済が完了した旨の決済完了情報を、前記決済装置用通信部を介して、電子商取引装置ＩＤに係る情報にて識別される前記電子商取引装置へ送信する手段とを備えることを特徴とする。
【手続補正３】
【補正対象書類名】明細書
【補正対象項目名】００１２
【補正方法】変更
【補正の内容】
【００１２】
本発明に係る決済システムは、前記コンテンツ提供装置の制御部は、有料コンテンツの利用量に応じて利用料金が発生する有料コンテンツを、前記コンテンツ提供装置用通信部を介して提供するようにしてあり、前記決済装置の制御部は、有料コンテンツの利用量が増加した場合、有料コンテンツが継続利用されている旨を通知するための情報を、前記決済装置用通信部を介して前記電子商取引装置へ送信する手段を備えることを特徴とする。
【手続補正４】
【補正対象書類名】明細書
【補正対象項目名】００１３
【補正方法】変更
【補正の内容】
【００１３】
本発明に係る決済システムは、前記決済装置の制御部は、商品又はサービスの料金を決済するために利用登録されるべき有料コンテンツの数を示した複数の所定利用登録数情報を、前記決済装置通信部を介して前記携帯電話機へ送信する手段を備え、前記携帯電話機の制御部は、前記決済装置から送信された複数の所定利用登録数情報を、前記携帯電話用通信部を介して受信する手段と、受信した複数の所定利用登録数情報に基づいて所定利用登録数を前記表示部にて表示する手段と、表示された所定利用登録数のいずれかを前記操作部にて受け付ける手段と、受け付けた所定利用登録数に係る所定利用登録数情報を前記決済装置へ送信する手段とを備え、前記決済装置の制御部は、前記携帯電話機から送信された所定利用登録数情報を、前記決済装置用通信部を介して受信する手段と、前記コンテンツ提供装置から送信された前記利用登録情報を受信した場合、利用登録された有料コンテンツを売上・決済情報データベースに記憶する記憶手段と、利用登録された有料コンテンツの数が、前記所定利用登録数情報に係る所定利用登録数以上であるか否かを判定する手段とを備え、利用登録された有料コンテンツの数が前記所定利用登録数以上であると判定された場合、決済完了情報を、前記決済装置用通信部を介して前記電子商取引装置へ送信するようにしてあることを特徴とする。
【手続補正５】
【補正対象書類名】明細書
【補正対象項目名】００１４
【補正方法】変更
【補正の内容】
【００１４】
本発明に係る決済システムは、前記携帯電話機の制御部は、商品又はサービスの料金を示す料金情報を前記決済装置へ前記携帯電話機用通信部を介して送信する手段を備え、前記決済装置は、各有料コンテンツ及び該有料コンテンツの利用登録にて決済が可能な金額に関する情報を対応付けたテーブルを備え、前記決済装置の制御部は、前記携帯電話機から送信された料金情報を前記決済装置用通信部を介して受信する手段と、前記コンテンツ提供装置から送信された前記利用登録情報を、前記決済装置用通信部を介して受信した場合、利用登録された有料コンテンツを売上・決済情報データベースに記憶する記憶手段と、該売上・決済情報データベースが記憶している有料コンテンツ、前記テーブル及び料金情報に基づいて、商品又はサービスの決済が可能か否かを判定する判定手段とを備え、決済が可能と判定された場合、決済完了情報を、前記決済装置用通信部を介して前記電子商取引装置へ送信するようにしてあることを特徴とする。
【手続補正６】
【補正対象書類名】明細書
【補正対象項目名】００１５
【補正方法】変更
【補正の内容】
【００１５】
本発明に係る決済装置は、決済装置用通信部、前記コンテンツ提供装置から提供が可能な有料コンテンツの名称又は内容を記憶している広告情報データベース、前記決済装置用通信部の動作を制御する制御部を有し、電子商取引装置が携帯電話機から受け付けた、該携帯電話機の通信料金に、その利用料金を併課することが不能な商品又はサービスの料金を、前記携帯電話機の決済処理システムから独立した処理によって決済する決済装置であって、前記制御部は、前記携帯電話機から送信された携帯電話機ＩＤ及び電子商取引装置ＩＤに係る情報を含むサイト登録決済要求を、前記決済装置用通信部を介して受信した場合、前記広告情報データベースが記憶している有料コンテンツの名称又は内容を表示するための有料コンテンツ表示情報を、前記決済装置用通信部を介して前記携帯電話機へ送信する手段と、携帯電話機ＩＤに係る情報を含み、前記携帯電話機を用いた前記有料コンテンツの利用登録の発生を通知するための利用登録情報を、前記決済装置用通信部を介して受信する手段と、該利用登録情報を受信した場合、携帯電話機ＩＤに係る情報にて識別される携帯電話機から受け付けた商品又はサービスの料金の決済が完了した旨の決済完了情報を、前記決済装置用通信部を介して、電子商取引装置ＩＤに係る情報にて識別される電子商取引装置へ送信する手段とを備えることを特徴とする。
【手続補正７】
【補正対象書類名】明細書
【補正対象項目名】００１６
【補正方法】変更
【補正の内容】
【００１６】
本発明に係る決済方法は、携帯電話機用通信部、操作部及び表示部、並びに該携帯電話機用通信部及び表示部の動作を制御する制御部を有する携帯電話機と、コンテンツ提供装置用通信部及び該コンテンツ提供装置用通信部の動作を制御する制御部を有し、前記携帯電話機の通信料金に、その利用料金を併課することが可能な有料コンテンツを提供するコンテンツ提供装置と、電子商取引装置用通信部、及び該電子商取引装置用通信部の動作を制御する制御部を有し、前記携帯電話機から、前記携帯電話機の通信料金に、その利用料金を併課することが不能な商品又はサービスの購入を受け付け、該商品又はサービスの購入を受け付けた場合、前記携帯電話機を識別するための携帯電話機ＩＤ及び電子商取引装置ＩＤに係る情報を含み、前記有料コンテンツの利用料金の一部を前記商品又はサービスの料金の決済に充てることによって行う決済を要求するための情報を、前記電子商取引装置用通信部を介して前記携帯電話機へ送信する電子商取引装置と、決済装置用通信部、前記コンテンツ提供装置から提供が可能な有料コンテンツの名称又は内容を記憶している広告情報データベース、前記決済装置用通信部の動作を制御する制御部を有し、前記電子商取引装置にて受け付けた購入対象の商品又はサービスの料金を、前記携帯電話機の決済処理システムから独立した処理によって決済する決済装置とを用い、前記有料コンテンツの利用料金の一部を前記商品又はサービスの料金の決済に充てることによって、該料金の決済を行う決済方法であって、前記携帯電話機の制御部は、前記決済を要求するための情報に基づいて、携帯電話機ＩＤ及び電子商取引装置ＩＤに係る情報を含むサイト登録決済要求を、前記携帯電話機用通信部を介して前記決済装置へ送信し、前記決済装置の制御部は、前記携帯電話機からサイト登録決済要求を、前記決済装置用通信部を介して受信した場合、前記広告情報データベースが記憶している有料コンテンツの名称又は内容を表示するための有料コンテンツ表示情報を、前記決済装置用通信部を介して前記携帯電話機へ送信し、前記携帯電話機の制御部は、前記決済装置から送信された有料コンテンツ表示情報を、前記携帯電話機用通信部を介して受信し、該携帯電話機用通信部にて受信した有料コンテンツ表示情報に基づいて、有料コンテンツの名称又は内容を前記表示部にて表示し、表示された有料コンテンツのいずれかを前記操作部にて受け付け、携帯電話機ＩＤに係る情報を含み、該操作部にて受け付けた有料コンテンツの利用登録を要求するための情報を、前記携帯電話機用通信部を介して前記コンテンツ提供装置へ送信し、前記コンテンツ提供装置の制御部は、前記携帯電話機から有料コンテンツの利用登録を要求された場合、携帯電話機ＩＤに係る情報を含み、該有料コンテンツの利用登録の発生を通知するための利用登録情報を、前記コンテンツ提供装置用通信部を介して前記決済装置へ送信し、更に、前記決済装置の制御部は、前記コンテンツ提供装置から送信された利用登録情報を、前記決済装置用通信部を介して受信し、該利用登録情報を受信した場合、携帯電話機ＩＤに係る情報にて識別される携帯電話機から受け付けた商品又はサービスの料金の決済が完了した旨の決済完了情報を、電子商取引装置ＩＤに係る情報にて識別される決済装置用通信部を介して前記電子商取引装置へ送信することを特徴とする。